(57)【要約】【課題】特別な部材を必要とせず部品の共通化を可能とするとともに、渦巻バネ式付勢装置から繰り出されたワイヤの設置及び取り回しを簡略化する。【解決手段】引戸１の上端部に固定され、戸枠の鴨居に固設されたガイドレール２に沿って走行自在とされる吊り車型ランナ装置３と、吊り車型ランナ装置３より引戸１の開方向側に固定されるとともに、繰り出されたワイヤ４が引戸１の閉方向の端部におけるガイドレール２又は戸枠に固定され、ワイヤ４の巻き取りにより引戸１に閉方向の付勢力を与える渦巻きバネ式付勢装置５とを備える。吊り車型ランナ装置３が、ガイドレール２に沿って走行自在とされるランナ本体６と、引戸１の上端部に固定されるランナ取付部材７と、ランナ本体６及びランナ取付部材７を連結する連結部材８とを備える。連結部材８に、ワイヤ４が挿通可能なワイヤ挿通部９が設けられている。【選択図】図１
2019183567.tif 000002
【特許請求の範囲】
【請求項１】
引戸の上端部に固定され、戸枠の鴨居に固設されたガイドレールに沿って走行自在とされる吊り車型ランナ装置と、前記吊り車型ランナ装置より前記引戸の開方向側に固定されるとともに、繰り出されたワイヤが前記引戸の閉方向の端部における前記ガイドレール又は戸枠に固定され、前記ワイヤの巻き取りにより前記引戸に閉方向の付勢力を与える渦巻きバネ式付勢装置とを備え、
前記吊り車型ランナ装置が、前記ガイドレールに沿って走行自在とされるランナ本体と、前記引戸の上端部に固定されるランナ取付部材と、前記ランナ本体及びランナ取付部材を連結する連結部材とを備え、
前記連結部材に、前記ワイヤが挿通可能なワイヤ挿通部が設けられていることを特徴とする引戸の自動閉止装置。
【請求項２】
前記連結部材が、対面して配置された２枚の板材からなり、少なくとも前記ワイヤ挿通部において前記２枚の板材が離隔して配置されている請求項１記載の引戸の自動閉止装置。
【請求項３】
前記渦巻バネ式付勢装置が、前記引戸の上端部に形成された切欠き部に嵌合して設けられている請求項１、２いずれかに記載の引戸の自動閉止装置。
【請求項４】
前記渦巻バネ式付勢装置から上方に向けて繰り出された前記ワイヤが、滑車によって前記引戸の開閉方向に方向転換されている請求項１〜３いずれかに記載の引戸の自動閉止装置。
【請求項５】
前記引戸の閉止時に前記引戸を閉まり位置まで引き込む引込み装置が設けられている請求項１〜４いずれかに記載の引戸の自動閉止装置。
【発明の詳細な説明】
【技術分野】
【０００１】
本発明は、渦巻バネ式の付勢装置を備えることによって開放した引戸を自動的に閉止する装置に関する。
【背景技術】
【０００２】
従来より、引戸の自動閉止装置が種々提案されている。例えば、下記特許文献１には、引戸の走行体が傾斜レールを走行することによって引戸が自重によって自動的に閉止できるようにしたものが開示され、下記特許文献２には、シリンダ内にスライド自在に組み込まれた自閉用重錘の自重によって自動的に閉止できるようにしたものが開示され、下記特許文献３には、上框部に巻き取りゼンマイ方式の自閉機構を取付け、その付勢ワイヤの先端を引戸の滑車に固定することによって自動的に閉止できるようにしたものが開示されている。また、下記特許文献４には、ワイヤーが巻き付けられた回転体が一方向に回転することで圧縮コイルバネが圧縮して蓄勢し、この圧縮コイルバネの復元力によって前記回転体が他方向に回転することによって前記ワイヤーを介して閉扉力が引戸に伝達付与されるようにしたものが開示されている。
【０００３】
また、前述の下記特許文献３には、引戸の上端部にピニオンを備えた制動機構が取り付けられるとともに、上框部に前記ピニオンが噛合う制動用ラックが取り付けられ、前記ピニオンが制動用ラックと噛合っている間のみ制動がかけられるようにすることも開示されている。
【先行技術文献】
【特許文献】
【０００４】
【特許文献１】国際公開第２０１７／０７３２７７号
【特許文献２】特開平７−１８９５４９号公報
【特許文献３】特開２００１−３０３８４３号公報
【特許文献４】特開２０１１−２０８４４３号公報
【発明の概要】
【発明が解決しようとする課題】
【０００５】
しかしながら、上記特許文献１、２及び３に記載される自動閉止装置では、このような自動閉止装置が備えられない通常のものと比較して、特別な傾斜レールや自閉用重錘、制動機構、制動用ラックなどを設置しなければならず、通常のものとの部材の共通化が難しく、製作のコストが嵩む問題があった。
【０００６】
また、上記特許文献４に記載される自動閉止装置では、ワイヤの取り回しが複雑で、故障しやすいと考えられるとともに、装置自体も複雑でメンテナンスしにくいなどの問題があった。
【０００７】
そこで本発明の主たる課題は、特別な部材を必要とせず部材の共通化が可能となるとともに、渦巻バネ式付勢装置から繰り出されたワイヤの設置及び取り回しを簡略化した引戸の自動閉止装置を提供することにある。
【課題を解決するための手段】
【０００８】
上記課題を解決するために請求項１に係る本発明として、引戸の上端部に固定され、戸枠の鴨居に固設されたガイドレールに沿って走行自在とされる吊り車型ランナ装置と、前記吊り車型ランナ装置より前記引戸の開方向側に固定されるとともに、繰り出されたワイヤが前記引戸の閉方向の端部における前記ガイドレール又は戸枠に固定され、前記ワイヤの巻き取りにより前記引戸に閉方向の付勢力を与える渦巻きバネ式付勢装置とを備え、
前記吊り車型ランナ装置が、前記ガイドレールに沿って走行自在とされるランナ本体と、前記引戸の上端部に固定されるランナ取付部材と、前記ランナ本体及びランナ取付部材を連結する連結部材とを備え、
前記連結部材に、前記ワイヤが挿通可能なワイヤ挿通部が設けられていることを特徴とする引戸の自動閉止装置が提供される。
【０００９】
上記請求項１記載の発明では、ガイドレールに沿って引戸を吊持する吊り車型ランナ装置と、繰り出されたワイヤの巻き取りにより引戸に閉方向の付勢力を付与する渦巻バネ式付勢装置とが備えられている。このとき、前記吊り車型ランナ装置やガイドレールなどの部材は、自動閉止機能を有しない通常の引戸においても使用可能なものであり、特別な部材を必要とせず、自動閉止機能を備えた引戸と通常の引戸との部材の共通化が可能となる。
【００１０】
また、前記吊り車型ランナ装置には、前記ランナ本体とランナ取付部材とを連結する連結部材が備えられ、この連結部材に、前記ワイヤが挿通可能なワイヤ挿通部が設けられているため、引戸の建込みの際、前記渦巻バネ式付勢装置から繰り出されたワイヤを前記ワイヤ挿通部に挿通してガイドレール又は戸枠の所定の位置に固定すればよいので、ワイヤの設置及び取り回しが簡略化できるようになる。
【００１１】
請求項２に係る本発明として、前記連結部材が、対面して配置された２枚の板材からなり、少なくとも前記ワイヤ挿通部において前記２枚の板材が離隔して配置されている請求項１記載の引戸の自動閉止装置が提供される。
【００１２】
上記請求項２記載の発明では、前記吊り車型ランナ装置のランナ本体とランナ取付部材とを連結する連結部材の構造として、通常は軸部材によって構成しているところを、本発明では前記ワイヤ挿通部を形成するのに好適な２枚の板材を対面して配置した構造としている。したがって、２枚の板材を離隔して配置した離隔部によって、前記ワイヤ挿通部を形成することができる。
【００１３】
請求項３に係る本発明として、前記渦巻バネ式付勢装置が、前記引戸の上端部に形成された切欠き部に嵌合して設けられている請求項１、２いずれかに記載の引戸の自動閉止装置が提供される。
【００１４】
上記請求項３記載の発明では、前記渦巻バネ式付勢装置を引戸に設ける際、前記引戸の上端部に形成された切欠き部に嵌合しているため、渦巻バネ式付勢装置を設けるに当たって戸枠やガイドレールなど建物側に固定される部材に影響を与えることがなく、これらの部材として通常のものを使用でき、部材の共通化が可能となる。
【００１５】
請求項４に係る本発明として、前記渦巻バネ式付勢装置から上方に向けて繰り出された前記ワイヤが、滑車によって前記引戸の開閉方向に方向転換されている請求項１〜３いずれかに記載の引戸の自動閉止装置が提供される。
【００１６】
上記請求項４記載の発明では、前記渦巻バネ式付勢装置から上方に向けて繰り出されたワイヤを、引戸の開閉方向に方向転換するために滑車を用いているため、ワイヤの取り回しが単純化でき、ワイヤの繰り出し及び巻き取りがスムーズになる。
【００１７】
請求項５に係る本発明として、前記引戸の閉止時に前記引戸を閉まり位置まで引き込む引込み装置が設けられている請求項１〜４いずれかに記載の引戸の自動閉止装置が提供される。
【００１８】
上記請求項５記載の発明では、前記引込み装置を設けることにより、引戸が自動的に閉止する際、勢いよく閉まることによる衝撃音や引戸の跳ね返りを防止し、引戸が閉止位置までゆっくりと引き込まれるようになる。
【発明の効果】
【００１９】
以上詳説のとおり本発明によれば、特別な部材を必要とせず部材の共通化が可能になるとともに、渦巻バネ式付勢装置から繰り出されたワイヤの設置及び取り回しが簡略化できるようになる。
【図面の簡単な説明】
【００２０】
【図１】本発明に係る自動閉止装置を用いた引戸１（閉状態）の要部の正面図である。
【図２】本発明に係る自動閉止装置を用いた引戸１の要部の分解斜視図である。
【図３】吊り車型ランナ装置３の斜視図である。
【図４】吊り車型ランナ装置３を示す、(A)は側面図、(B)は正面図である。
【図５】渦巻バネ式付勢装置５の分解斜視図である。
【図６】渦巻バネ式付勢装置５を示す、(A)は正面図、(B)は斜視図である。
【図７】ガイドレール２の端部を示す分解斜視図である。
【図８】引込み装置２１を示す分解斜視図である。
【発明を実施するための形態】
【００２１】
以下、本発明の実施の形態について図面を参照しながら詳述する。
【００２２】
本発明に係る引戸の自動閉止装置は、図１及び図２に示されるように、引戸１の上端部に固定され、戸枠の鴨居に固設されたガイドレール２に沿って走行自在とされる吊り車型ランナ装置３と、この吊り車型ランナ装置３より引戸１の開方向側の上端部に固定されるとともに、繰り出されたワイヤ４が引戸１の閉方向の端部におけるガイドレール２又は戸枠に固定され、前記ワイヤ４の巻き取りにより引戸１に閉方向の付勢力を与える渦巻バネ式付勢装置５とを備えている。これにより、引戸１の開操作によって前記渦巻バネ式付勢装置５から繰り出されたワイヤ４を、渦巻バネ式付勢装置５が巻き取ることにより、引戸１が自動的に閉止するようになっている。
【００２３】
前記吊り車型ランナ装置３は、図３及び図４に示されるように、前記ガイドレール２に沿って走行自在とされるランナ本体６と、前記引戸１の上端部に固定されるランナ取付部材７と、前記ランナ本体６及びランナ取付部材７とを連結する連結部材８とを備えている。
【００２４】
そして、前記連結部材８には、前記ワイヤ４が挿通可能なワイヤ挿通部９が設けられている。すなわち、吊り車型ランナ装置３より引戸の開方向側に固定された渦巻バネ式付勢装置５から延びるワイヤ４は、前記ワイヤ挿通部９を通って引戸１の閉方向の端部に固定されるようになっている。
【００２５】
前記連結部材８に前記ワイヤ挿通部９が設けられる点を除いて、吊り車型ランナ装置３のランナ本体６及びガイドレール２は、自動閉止機能を有しない通常の引戸においても使用可能な部材であるため、特に戸枠に固設されるガイドレール２や、それに組み込まれるランナ本体６として、特別な部材を必要とせず、部材の共通化が可能となる。
【００２６】
また、前記吊り車型ランナ装置３の連結部材８に、渦巻バネ式付勢装置５から繰り出されたワイヤ４が挿通可能なワイヤ挿通部９が設けられているため、引戸１の建込みの際、前記渦巻バネ式付勢装置５から繰り出されたワイヤ４をワイヤ挿通部９に挿通して所定の位置に固定すればよいので、ワイヤ４の設置及び取り回しが簡略化できるようになる。
【００２７】
以下、前記引戸の自動閉止装置について更に詳細に説明すると、
前記ガイドレール２としては、一般の引戸に用いられるガイドレールをそのまま使用することができ、特別なレールは不要である。前記ガイドレール２は、図２に示されるように、下面中央にレール長手方向の全長に亘って前記吊り車型ランナ装置３の連結部材８が係合した状態でレール長手方向に移動可能なスリット２ａが形成されるとともに、このスリット２ａの両側に後述のランナ本体６のローラ１１、１１…が転動可能な走行溝２ｂ、２ｂ（図７参照。）が形成されることにより、断面略Ｃ字状に形成されている。このガイドレール２は、天井面に設けられた複数の通孔に挿通される固定ねじによって戸枠の鴨居の下面に固設されている。
【００２８】
前記吊り車型ランナ装置３のランナ本体６は、詳細には図４に示されるように、ローラ支持部材１２の両側に夫々２個づつ、ローラ支軸１０Ａ、１０Ｂによって支持されたローラ１１、１１…を備え、これらローラ１１、１１…がガイドレール２の走行溝２ｂ、２ｂ（図７参照。）を転動することにより前記ガイドレール２に沿って移動自在となっている。
【００２９】
前記ランナ取付部材７は、図２に示されるように、引戸１の上端の角部に形成された切欠き部１ａに固定される固定台座７ａと、この固定台座７ａに嵌合される取付部材本体７ｂと、この取付部材本体７ｂの側面を覆うカバー材７ｃとから構成されている。前記ランナ取付部材７には、引戸１の上下方向位置及び／又は室内外方向位置を調整するための調整機構を備えるようにしてもよい。
【００３０】
前記連結部材８は、図３及び図４に示されるように、引戸１の室内外方向に対面して配置された２枚の板材１３、１３からなり、少なくとも前記ワイヤ挿通部９において前記２枚の板材１３、１３が離隔して配置されている。つまり、２枚の板材１３、１３を引戸１の室内外方向に離隔して配置した離隔部によって、引戸１の開閉方向に貫通する前記ワイヤ挿通部９が形成されている。前記２枚の板材１３、１３の上部は、ランナ本体６におけるローラ支持部材１２の両側にそれぞれ固定され、このローラ支持部材１２より下側に延在する部分によって、概ねこのローラ支持部材１２の幅分だけ離隔するワイヤ挿通部９が形成されている。一方、前記２枚の板材１３、１３の下部は、ランナ取付部材７に備えられた上方に突出する板材を両側から挟み込むように設けられ、これらを一体的に貫通する軸部材によって固定されている。ランナ取付部材７から上方に延びる２枚の板材１３、１３は、中間部で離隔幅が拡大する拡幅部が設けられ、前記ワイヤ挿通部９のための離隔幅を確保している。
【００３１】
一般に吊り車型ランナ装置は、引戸の開閉方向の両端にそれぞれ設けられるが、上記のワイヤ挿通部９が形成された吊り車型ランナ装置３は、引戸１の閉方向側の端部のみに設け、開方向側の端部には前記ワイヤ挿通部９が形成されない吊り車型ランナ装置を設けてもよいが、部材の共通化を図る観点から、全ての吊り車型ランナ装置として、前記ワイヤ挿通部９が形成された吊り車型ランナ装置３を用いるのが望ましい。
【００３２】
次に、前記渦巻バネ式付勢装置５は、図５に示されるように、引戸１の上端部に形成された切欠き部１４に嵌合して設けられている。前記切欠き部１４は、引戸１の上端部であって開閉方向中間の閉方向寄り位置に設けられ、引戸１を室内外方向に貫通する略四角形状に形成されている。
【００３３】
前記渦巻バネ式付勢装置５は、図５及び図６に示されるように、引戸１に固定されるケーシング１５と、このケーシング１５に固定される渦巻バネ式付勢装置本体１６と、前記ケーシング１５に取り付けられ、前記渦巻バネ式付勢装置本体１６から繰り出されるワイヤ４の方向転換を行う滑車１７とを備えている。前記ケーシング１５は、ほぼ引戸１の厚み分だけ凹陥する凹陥部１５ａが形成され、その両側に引戸１の表面にネジ止めするための通孔が備えられたフランジ部１５ｂ、１５ｂが形成されている。前記凹陥部１５ａの底面には、前記渦巻バネ式付勢装置本体１６をネジ止めするためのネジ孔が形成されるとともに、上端部に前記滑車１７が取り付けられている。
【００３４】
前記渦巻バネ式付勢装置本体１６は、前記ケーシング１５の凹陥部１５ａに嵌合可能な大きさで形成された外装体の内部に主要な部材がパッケージングされている。この内部には、支軸と、この支軸により回動自在に支持された前記ワイヤ４を巻き取る巻取りドラムと、前記支軸に内方端が係止されるとともに、前記巻取りドラムに外方端が係止された渦巻きバネ部材とが備えられている（図示せず）。引戸１の開操作により、ワイヤ４が巻取りドラムから繰り出されるとともに、前記巻取りドラムの回転によって渦巻きバネ部材に蓄勢される。その後、開操作の停止により、蓄勢された前記渦巻きバネ部材の復元力によって巻取りドラムが逆回転し、ワイヤ４が巻取りドラムに巻き取られ、引戸１が自動的に閉止するようになっている。
【００３５】
前記渦巻バネ式付勢装置本体１６の外装体の上面には、ワイヤ４の先端が延出する開孔が設けられている。この開孔から延出するワイヤ４は、渦巻バネ式付勢装置５を引戸１に取り付けた状態で、引戸１の室内外方向（厚み方向）の略中央部を上方に向けて繰り出されるようになっている。
【００３６】
前記滑車１７は、前記渦巻バネ式付勢装置本体１６から上方に向けて繰り出されたワイヤ４を、引戸１の開閉方向に方向転換するためのものである。前記滑車１７は、引戸１の室内外方向（厚み方向）の略中央部に配置され、ワイヤ４が引戸１の室内外方向の中央部を開閉方向に沿って配置されるようにしている。図１に示されるように、前記滑車１７の上端は、引戸１の上端より上側に突出して設けられ、引戸１の開閉方向に方向転換されたワイヤ４が、引戸１の上端より上側に離隔して配置されるようにしている。
【００３７】
前記渦巻バネ式付勢装置５から繰り出されたワイヤ４の先端は、引戸１の閉方向の端部におけるガイドレール２又は戸枠に固定されている。図１及び図５に示される例では、ガイドレール２の端部に固定されている。ワイヤ４の先端をガイドレール２の端部に固定するには、図７に示されるように、ガイドレール２の端部に、ワイヤ４が掛止可能な下側に突出する掛止軸１８を備えた先端キャップ１９を固定するとともに、ワイヤの先端を折り返してループ部４ａを形成し、このループ部４ａを前記掛止軸１８に掛止することにより行うことができる。前記先端キャップ１９は、本体部分がガイドレール２内に嵌合されるとともに、前記掛止軸１８がガイドレール２のスリット部２ａから下側に突出して設けられ、本体部分の上端にレール長手方向に延出する固定用延出部１９ａが備えられ、この固定用延出部１９ａに形成された通孔及びガイドレール２に形成された通孔を一体的に挿通する固定ねじ２０によって戸枠の鴨居に固定されている。また、図示しないが、前記ワイヤ４の先端は、戸枠やガイドレール２に直接ネジ止めされるようにしてもよい
本発明に係る引戸の自動閉止装置では、図８に示されるように、引戸１の閉止時に引戸１を閉まり位置まで引き込む引込み装置２１を設けるのが好ましい。前記引込み装置２１としては、一般に引戸の引込み装置として用いられているものを制限なく使用できる。前記引込み装置２１は、例えば、前記引戸１とともにガイドレール２内を移動可能とした引込み装置本体２２と、前記ガイドレール２の天井面から内方側に突出させた状態で設けられ、前記引込み装置本体２２と係脱する関係にある係合ピン２３とを備えている。
【００３８】
前記引込み装置本体２２としては、図１に示されるように、ケース内を引戸１の開閉方向に沿ってスライド可能に設けられるとともに、前記ケースに形成されたスライド案内溝２２ａに係合する係合突部２２ｂを有し、且つ上端部が前記係合ピン２３と係脱する関係にあるスライダー２２ｃと、ピストン先端が前記スライダー２２ｃに連結された状態で前記ケース内に設けられるピストン式ダンパー（図示せず）と、一端が前記スライダー２２ｃに係止されるとともに他端が前記ケースに係止され、前記スライダー２２ｃに引戸１の引込み方向の付勢力を与えるスプリング部材（図示せず）とを備えたものを用いることができる。
【００３９】
前記引戸１の閉止時には、前記スライダー２２ｃが係合ピン２３と係合することにより、前記ピストン式ダンパーによる制動力を受けながら、前記スプリング部材による付勢力により、引戸１を閉まり位置まで引き込むようになっている。
【符号の説明】
【００４０】
１…引戸、２…ガイドレール、３…吊り車型ランナ装置、４…ワイヤ、５…渦巻きバネ式付勢装置、６…ランナ本体、７…ランナ取付部材、８…連結部材、９…ワイヤ挿通部、１０Ａ・１０Ｂ…ローラ支軸、１１…ローラ、１２…ローラ支持部材、１３…板材、１４…切欠き部、１５…ケーシング、１６…渦巻バネ式付勢装置本体、１７…滑車、１８…掛止軸、１９…先端キャップ、２０…固定ねじ、２１…引込み装置、２２…引込み装置本体、２３…係合ピン
【図１】
2019183567.tif 000003
【図２】
2019183567.tif 000004
【図３】
2019183567.tif 000005
【図４】
2019183567.tif 000006
【図５】
2019183567.tif 000007
【図６】
2019183567.tif 000008
【図７】
2019183567.tif 000009
【図８】
2019183567.tif 000010